(57)【要約】【課題】電気掃除機において、塵埃を排出するまでの間、高い風量が維持可能なこと。【解決手段】集塵ボックスは、塵埃を蓄積する本体部１０と、本体部１０に開閉可能で後方に電動送風機室の吸引口に通じる開口部と、電動送風機の駆動により集塵ボックスに吸引された空気の塵埃を除去する蓋体部Ｂ（蓋体部）１４とを有し、蓋体部Ｂ１４を、圧損の異なる複数のフィルターＡ１３、フィルターＢ２０により形成した。これにより例えば、圧損の小さいフィルターＢ２０側に、塵埃が先ず吸込まれ、目詰りをおこすと、次に圧損の高いフィルターＡ１３側に塵埃が吸い込まれて蓄積される。このように塵埃は圧損の小さいフィルター側から圧損の大きいフィルター側へ順次蓄積されるので、高い風量が維持可能な電気掃除機が提供できるようになる。【選択図】図３
2008018132.tif 000002
【特許請求の範囲】
【請求項１】
含塵空気を吸引する吸気口と、前記吸気口の後方に設けられ塵埃を集める集塵ボックスを収納する集塵ボックス収納部と、前記集塵ボックス収納部の後方に設けられ吸引風を発生させる電動送風機を収納する電動機送風機室とを備えた電気掃除機において、前記集塵ボックスは、前記吸気口から挿入されるホースと連通する連通穴が設けられ、塵埃を蓄積する本体部と、該本体部に開閉可能で後方に前記電動送風機室の吸引口に通じる開口部と、前記電動送風機の駆動により集塵ボックスに吸引された空気の塵埃を除去する蓋体部とを有し、前記蓋体部を、圧損の異なる複数のフィルターにより形成したことを特徴とする電気掃除機。
【請求項２】
フィルターは、電動送風機室の吸引口に近い側をフィルターＡ、遠い側をフィルターＢとし、前記フィルターＡ、Ｂの圧損の大きさをＡ＞Ｂとした請求項１記載の電気掃除機。
【請求項３】
フィルターをプリーツ状に形成し、複数のフィルターのプリーツ形状を異なる大きさにすることにより、複数のフィルターの圧損を異なる大きさにした請求項１または２記載の電気掃除機。
【請求項４】
塵埃を除去するフィルターの上流側に設けられた、メッシュもしくは多孔質に形成された薄板を保持する蓋体部Ａと、前記蓋体部Ａの下流に設けられた、圧損の異なる複数のフィルターを保持する蓋体部Ｂとを備え、蓋体部Ａ、Ｂはそれぞれ、集塵ボックスの本体部に回動自在に設けられると共に、同心軸に形成し構成されたことを特徴とする請求項１〜３のいずれか１項に記載の電気掃除機。
【発明の詳細な説明】
【技術分野】
【０００１】
本発明は電気掃除機に関し、特に電気掃除機の集塵ボックスに関するものである。
【背景技術】
【０００２】
従来の電気掃除機の集塵ボックスは、本体部と荒ごみを捕集する略平面のネットフィルターと、その下流に細塵を捕集するフィルターを形成したものであった（例えば、特許文献１参照）。
【特許文献１】特開２００５−３１８９１５号公報
【発明の開示】
【発明が解決しようとする課題】
【０００３】
上記構成では、塵埃を吸込ませると荒ごみがネットフィルターに捕集されるが、ネットフィルターが略平面であり、フィルターも全面同圧損のため、どうしてもネットフィルターの全面に粗ごみが捕集されてしまう。そのため、風量の低下が早く集塵ボックスに塵埃が満杯にならない内に風量低下を起しごみを十分に吸込めない構成となっているものであった。
【０００４】
本発明は上記課題を解決するもので、集塵室に蓄積される塵埃をある一定方向より蓄積されるよう構成し、集塵室に十分に塵埃が蓄積されるまで風量低下しない集塵ボックスで、性能を向上した電気掃除機を提供することを目的とする。
【課題を解決するための手段】
【０００５】
上記従来の課題を解決するために本発明は、含塵空気を吸引する吸気口と、前記吸気口の後方に設けられ塵埃を集める集塵ボックスを収納する集塵ボックス収納部と、前記集塵ボックス収納部の後方に設けられ吸引風を発生させる電動送風機を収納する電動機送風機室とを備えた電気掃除機において、前記集塵ボックスは、前記吸気口から挿入されるホースと連通する連通穴が設けられ、塵埃を蓄積する本体部と、該本体部に開閉可能で後方に前記電動送風機室の吸引口に通じる開口部と、前記電動送風機の駆動により集塵ボックスに吸引された空気の塵埃を除去する蓋体部とを有し、前記蓋体部を、圧損の異なる複数のフィルターにより形成したことを特徴とする電気掃除機とした。
【０００６】
これにより電動送風機の吸引は圧損の異なる複数のフィルターの内、圧損の小さいフィルター側から吸引される。そのため吸込まれた塵埃も同様に圧損の小さいフィルター側に吸込まれる。圧損の小さいフィルター側が塵埃により目詰りをおこすと、次に圧損の高いフィルター側に塵埃が続いて蓄積される。このように塵埃は圧損の小さいフィルター側から圧損の高いフィルター側へ蓄積され本体部全体に蓄積されるものである。このように本体部に十分に塵埃の蓄積が行える。
【発明の効果】
【０００７】
本発明によれば、集塵室に十分に塵埃が蓄積されるまで風量低下しない電気掃除機を提供できる。
【発明を実施するための最良の形態】
【０００８】
第１の発明は、含塵空気を吸引する吸気口と、前記吸気口の後方に設けられ塵埃を集める集塵ボックスを収納する集塵ボックス収納部と、前記集塵ボックス収納部の後方に設けられ吸引風を発生させる電動送風機を収納する電動機送風機室とを備えた電気掃除機において、前記集塵ボックスは、前記吸気口から挿入されるホースと連通する連通穴が設けられ、塵埃を蓄積する本体部と、該本体部に開閉可能で後方に前記電動送風機室の吸引口に通じる開口部と、前記電動送風機の駆動により集塵ボックスに吸引された空気の塵埃を除去する蓋体部とを有し、前記蓋体部を、圧損の異なる複数のフィルターにより形成したことを特徴とする電気掃除機とした。
【０００９】
これにより電動送風機の吸引は圧損の異なる複数のフィルターの内、圧損の小さいフィルター側から吸引される。そのため吸込まれた塵埃も同様に圧損の小さいフィルター側に吸込まれる。圧損の小さいフィルター側が塵埃により目詰りをおこすと、次に圧損の高いフィルター側に塵埃が続いて蓄積される。このように塵埃は圧損の小さいフィルター側から圧損の高いフィルター側へ蓄積され本体部全体に蓄積されるものである。このように本体部に十分に塵埃の蓄積が行える。
【００１０】
第２の発明は、第１の発明のフィルターを、電動送風機室の吸引口に近い側をフィルターＡ、遠い側をフィルターＢとし、前記フィルターＡ、Ｂの圧損の大きさをＡ＞Ｂとしたので、第１の発明と同様の効果が期待できる。
【００１１】
第３の発明は、第１または第２の発明のフィルターをプリーツ状に形成し、複数のフィルターのプリーツ形状を異なる大きさにすることにより、複数のフィルターの圧損を異なる大きさにしたので、第１の発明と同様の効果が期待できる。
【００１２】
第４の発明は、第１〜第３のいずれか１つの発明の塵埃を除去するフィルターの上流側に設けられた、メッシュもしくは多孔質に形成された薄板を保持する蓋体部Ａと、前記蓋体部Ａの下流に設けられた、圧損の異なる複数のフィルターを保持する蓋体部Ｂとを備え、蓋体部Ａ、Ｂはそれぞれ、集塵ボックスの本体部に回動自在に設けられると共に、同心軸に形成し構成されたことを特徴とする電気掃除機としたので、第１の発明に加えて、内部に溜まった塵埃を容易に排出できる。
【００１３】
以下、本発明の実施の形態について、図面を参照しながら説明する。なおこの実施の形態によって本発明が限定されるものではない。
【００１４】
（実施の形態１）
本発明の第１の実施の形態について、図１〜図４を用いて説明する。
【００１５】
図１、２に示すように、１は前方に吸気口２を有する集塵ボックス収納部３と後方に電動送風機（図示しない）を有する電動送風機室（図示しない）を具備した掃除機本体で、吸気口２部には掃除機本体１とホース（図示せず）のエアータイト用のパッキンＡ４を具備したものである。また集塵室３上方は開放状態となっており、開放部上端全周にパッキンＢ５を有したものである。６は掃除機本体にその後方部を支点として回動自在に設けた集塵ボックス収納部蓋体で、集塵ボックス収納部３の上方開口部を覆うものである。この集塵ボックス収納部蓋体６は、パッキンＢ５と平面が略同形状で集塵ボックス収納部蓋体６が閉状態となった時パッキンＢ５と圧接しエアータイトを行うタイトリブ７を有している。集塵ボックス収納部３内には、集塵ボックス８が収納されている。集塵ボックス８は連通穴９が設けられた本体部１０と本体部１０の後方に、メッシュもしくは多孔質に形成された薄板１１を形成した蓋体部Ａ１２と、その下流にプリーツ加工されたフィルターＡ１３を形成する蓋体部Ｂ１４が本体部１０に形成された軸部１５により回動自在に保持されたものである。
【００１６】
また、図２のように蓋体部Ａ１２と蓋体部Ｂ１４は同心軸にて形成されている。蓋体部Ａ１２、蓋体部Ｂ１４は蓋体部Ｂ１４の系止部１６に本体部１０の爪１７が引っ掛ることで本体部１０に固定され使用時の形態となる。このとき、蓋体部Ａ１２の外周前後に形成された、タイトパッキンＡ１８により、本体部１０と蓋体Ｂ１４とがエアータイトされる構成となっている。集塵ボックス８と集塵ボックス収納部３とのエアータイトは前方をパッキンＡ４と本体部１０、後方を蓋体Ｂ１４と蓋体集塵ボックス収納部３壁に形成されたタイトパッキンＢ１９によりタイトされたものである。なお、タイトパッキンＡ１８と、タイトパッキンＢ１９、パッキンＡ４はタイト構成として使用される部品でありそれぞれのパッキンが当接するいずれかの部品に構成されてもタイト構成できる。
【００１７】
次に図３に示すように、蓋体部Ｂ１４にはプリーツ状に形成されたフィルターＡ１３と同じくプリーツ状に形成されたフィルターＢ２０が形成され、フィルターＢ２０のプリーツの寸法を小さくすることで、フィルターＡ１３とフィルターＢ２０の圧損の大きさの関係をフィルターＡ１３＞フィルターＢ２０とし、フィルターＡ１３を電動送風機（図示しない）の吸引口に近い側に設けたものである。
【００１８】
以上のように構成された電気掃除機について、以下その動作、作用を説明する。
【００１９】
図３のように、電動送風機（図示しない）の吸引風と塵埃は、吸気口２、連通穴９を通過し本体部１０に到達する。その後蓋体Ａ１２に形成されたメッシュもしくは多孔室に形成された薄板１１により塵埃の粗ごみが２３捕集される。メッシュもしくは多孔室に形成された薄板１１を細塵と空気は通過し、次に蓋体Ｂ１４のプリーツ加工されたフィルターＡ１３、フィルターＢ２０により細塵２４が捕集され、空気のみが電動送風機室（図示しない）を経て素地機本体１外に排出される。本実施の形態のように圧損の関係をフィルターＡ１３＞フィルターＢ２０とすることで、本体部以降の風の流れは、圧損の低いフィルターＢ２０側に多く流れ、（実線矢印）逆に圧損の高いフィルターＡ１３側には吸引風が少なくなる。（破線矢印）この流れにより図４のように、吸引風とともに吸引された塵埃も同様に吸引されるため、フィルターＢ２０側より吸引され、フィルターＢ２０の前方のメッシュもしくは多孔質に形成された薄板１１側より塵埃が蓄積される。フィルターＢ２０に細塵が多く蓄積され、フィルターＢ２０が目詰りを始めると、風の流れがフィルターＡ１３側に多く流れるようになり、塵埃がフィルターＡ１３側のメッシュもしくは多孔室に形成された薄板１１側に順番に蓄積される。このように、電動送風機（図示しない）の吸引口側のフィルターＡ１３側の圧損を大きくすることで、電動送風機（図示しない）の吸引口に遠い側から順に塵埃が蓄積されていくために、塵埃が本体部１０満杯になるまで電動送風機（図示しない）の吸引口側は塵埃の無い状態が保て、本体部１０に塵埃が満杯になるまで風量の低下が起き難いもので、使用者が塵埃を破棄するまでの間、高い風量維持が可能で性能向上ができるものである。なお、図３、４ではフィルターＡ１３と、フィルターＢ２０はプリーツフィルターとし、プリーツの寸法により圧損を変化させる構成であるが、プリーツの形状ではなく単板のフィルターでも可能で、また、材質が同様でも異なるものでもそれぞれのフィルターの圧損を変化させれば本発明の効果が得られるものである。
【００２０】
（実施の形態２）
次に、本発明の第２の実施の形態について、図５、図６を用いて説明する。図５に示すように、蓋体部Ｂ１４にはプリーツ状に形成されたフィルターＡ１３と同じくプリーツ状に形成されたフィルターＢ２０が形成され、フィルターＡ１３のプリーツの寸法を小さくすることで、フィルターＡ１３とフィルターＢ２０の圧損の関係をフィルターＡ１３＜フィルターＢ２０とし、フィルターＡ１３を電動送風機（図示しない）の吸引口に近い側に設けたものである。
【００２１】
以上のように構成された電気掃除機について、以下その動作、作用を説明する。
【００２２】
圧損の大きさの関係をフィルターＡ１３＜フィルターＢ２０とすることで、本体部１０以降の風の流れは、圧損の低いフィルターＡ１３側に多く流れ、（実線矢印）逆に圧損の高いフィルターＢ２０側には吸引風が少なくなる。（破線矢印）この流れにより図６のように、吸引風とともに吸引された塵埃も同様に吸引されるため、フィルターＡ１３側より吸引され、フィルターＡ１３の前方のメッシュもしくは多孔質に形成された薄板１１側より塵埃が蓄積される。フィルターＡ１３に細塵が多く蓄積され、フィルターＡ１３が目詰りを始めると、風の流れがフィルターＢ２０側に多く流れるようになり、塵埃がフィルターＢ２０側のメッシュもしくは多孔室に形成された薄板１１側に順番に蓄積される。このように、電動送風機（図示しない）の吸引口側のフィルターＡ１３側の圧損を小さくすることで、圧力が最も高くなる電動送風機（図示しない）の吸引口に近い側から順に塵埃が蓄積されていくために、塵埃は本体部１０内で圧縮されながら徐々にフィルターＢ２０側に向かって蓄積されていく。このように、塵埃を圧縮しながら蓄積を行い、かつ、フィルターＢ２０側は塵埃の無い状態が保て、本体部に塵埃が満杯になるまで風量の低下が起き難い。このように塵埃を圧縮しながら蓄積することで、使用者が塵埃を破棄する際に塵埃の舞い上がりを少なくでき、使用者が塵埃を破棄するまでの間、高い風量維持が可能で性能向上ができるものである。なお、図５、図６ではフィルターＡ１３と、フィルターＢ２０はプリーツフィルターとし、プリーツの寸法により圧損を変化させる構成であるが、プリーツの形状ではなく単板のフィルターでも可能で、また、材質が同様なものでも異なるものでも、それぞれのフィルターの圧損を変化させれば本発明の効果が得られるものである。
【産業上の利用可能性】
【００２３】
以上のように、本発明にかかる電気掃除機は、使用者が塵埃を破棄する際に塵埃の舞い上がりを少なくでき、使用者が塵埃を破棄するまでの間、高い風量維持が可能で性能向上ができるものであり、大きく性能、使用性を向上し、特に家庭、業務用等の電気掃除機に有用である。
【図面の簡単な説明】
【００２４】
【図１】本発明の実施の形態１における電気掃除機の要部断面図
【図２】同、電気掃除機の集塵ボックスを図１のＡ方向から見た要部矢視図
【図３】同、電気掃除機の集塵ボックスを図１のＢ−Ｂで切断した要部断面図
【図４】同、集塵ボックスの他の状態の要部断面図
【図５】本発明の実施の形態２における電気掃除機の集塵ボックスを図１のＢ−Ｂで切断した要部断面図
【図６】同、集塵ボックスの他の状態の要部断面図
【符号の説明】
【００２５】
２    吸気口
３    集塵ボックス収納部
８    集塵ボックス
１０  本体部
１１  薄板
１２  蓋体部Ａ
１３  フィルターＡ
１４  蓋体部Ｂ（蓋体部）
２０  フィルターＢ
【図１】
2008018132.tif 000003
【図２】
2008018132.tif 000004
【図３】
2008018132.tif 000005
【図４】
2008018132.tif 000006
【図５】
2008018132.tif 000007
【図６】
2008018132.tif 000008